(57)【要約】【課題】バンドの締め付け力を所定以上低減しないようにすることができるバンドを提供する。【解決手段】バンドは、一端部１ａおよび他端部１ｂとを有し、一端部１ａと他端部１ｂとが交差するようにばね性の素材を円形に曲げた円形締め付け部１と、一端部１ａおよび他端部１ｂにそれぞれ接続され、かつ円形締め付け部１から延出する第１および第２の延出部２，３とを備えている。バンドは、第１および第２の延出部２，３が互いに接近するように第１および第２の延出部２，３に対して外力が作用しても円形締め付け部１の締め付け力が所定以上低減しないように構成されている。【選択図】図１
2015102192.tif 000002
【特許請求の範囲】
【請求項１】
パイプに装着されたホースを締め付けるためのバンドであって、
一端部および他端部とを有し、前記一端部と前記他端部とが交差するようにばね性の素材を円形に曲げた円形締め付け部と、
前記一端部および前記他端部にそれぞれ接続され、かつ前記円形締め付け部から延出する第１および第２の延出部とを備え、
前記円形締め付け部は、前記第１および第２の延出部が互いに接近するように前記第１および第２の延出部に対して外力が作用することにより前記円形締め付け部の径が拡大し、かつ前記外力が除去されることにより前記円形締め付け部の径が縮小することで前記パイプに装着された前記ホースを締め付ける締め付け力が発生するように構成されており、
前記バンドは、前記第１および第２の延出部が互いに接近するように前記第１および第２の延出部に対して前記外力が作用しても前記円形締め付け部の締め付け力が所定以上低減しないように構成されている、バンド。
【請求項２】
前記第１の延出部は、第１の操作部と、阻止部とを含み、
前記第２の延出部は、第２の操作部を含み、
前記第１の操作部は、前記一端部に接続され、前記円形締め付け部の外方へ伸びるように構成されており、
前記第２の操作部は、前記他端部に接続され、前記円形締め付け部の外方へ伸びるように構成されており、
前記阻止部は、前記第１および第２の操作部が互いに向かい合う領域内に位置する第１の状態と、前記領域外に位置する第２の状態とに変形可能に構成されており、かつ
前記第１の状態において、前記第１の操作部から前記第２の操作部に向かって延び、前記第２の操作部に当接することで前記第１および第２の操作部が接近することを阻止可能に構成されており、かつ
前記第２の状態において、前記第１および第２の操作部が接近可能に構成されている、請求項１に記載のバンド。
【請求項３】
前記阻止部は、前記第１の操作部に一体的に設けられている、請求項２に記載のバンド。
【請求項４】
前記第１の延出部は、第１の操作部と、第１の突出部とを含み、
前記第２の延出部は、第２の操作部と、第２の突出部とを含み、
前記第１の操作部は、前記一端部に接続され、前記円形締め付け部の外方へ伸びるように構成されており、
前記第２の操作部は、前記他端部に接続され、前記円形締め付け部の外方へ伸びるように構成されており、
前記第１の突出部は、前記第１の操作部から前記第２の操作部側に延び、かつ前記第２の操作部に対して前記第１の操作部側とは反対側に突出するように構成されており、
前記第２の突出部は、前記第２の操作部から前記第１の操作部側に延び、かつ前記第１の操作部に対して前記第２の操作部側とは反対側に突出するように構成されている、請求項１に記載のバンド。
【請求項５】
前記第１の突出部は、前記第１の操作部に一体的に設けられており、
前記第２の突出部は、前記第２の操作部に一体的に設けられている、請求項４に記載のバンド。
【発明の詳細な説明】
【技術分野】
【０００１】
本発明は、バンドに関し、特に、パイプに装着されたホースを締め付けるためのバンドに関するものである。
【背景技術】
【０００２】
給湯器の一例として、熱効率を高めるために、燃焼排気ガスの顕熱および潜熱（燃焼排気ガス中の水蒸気が保有している潜熱）を回収する熱交換器を備えたものが実用化されている。この潜熱回収可能な熱交換器を用いた場合、燃焼排気ガス中の水蒸気は潜熱を奪われることにより凝縮して結露するため、熱交換器に多量のドレン（結露水）が発生する。
【０００３】
熱交換器には下方に延びるパイプが設けられており、このパイプからドレンが排出される。このパイプにはドレンを排出するためのホースが装着されている。このホースはパイプが挿入された部分の外周面をバンドによって締め付けられている。これにより、パイプからホースが外れてパイプからドレンが漏れることを防いでいる。
【０００４】
このようなバンドは、たとえば実開昭６１−１９１９２号公報（特許文献１）に開示されている。この公報に開示されたバンドは、ばね性の素材を円形に曲げた円形締め付け部と、円形締め付け部の素材交差部を越えて円形締め付け部の外方に伸長する両端部の操作端とを有している。このバンドは、２つの操作端に対して互いに接近する方向（圧縮方向）に外力が加えられると円形締め付け部の径が大きくなり、該外力が取り除かれると円形締め付け部の径が小さくなるように構成されている。このため、２つの操作端に対して圧縮方向に外力が加えられて円形締め付け部の径が大きくなった状態で円形締め付け部内にホースが挿入され、該外力が取り除かれて円形締め付け部の径が小さくなることで、バンドによってホースが締め付けられる。
【先行技術文献】
【特許文献】
【０００５】
【特許文献１】実開昭６１−１９１９２号公報
【発明の概要】
【発明が解決しようとする課題】
【０００６】
上記公報に開示されたようなバンドでは、ホースにバンドが装着された後に、筺体の蓋などが操作端に接触することによって操作端に対して圧縮方向に外力が加わることがある。この場合、２つの操作端が互いに接近するように変位することで円形締め付け部の径が大きくなる。このため、バンドの締め付け力が低減する。この結果、パイプからホースが外れてパイプからドレンが漏れることがある。
【０００７】
本発明は、上記の課題を鑑みてなされたものであり、その目的は、バンドの締め付け力を所定以上低減しないようにすることができるバンドを提供することである。
【課題を解決するための手段】
【０００８】
本発明のバンドは、パイプに装着されたホースを締め付けるためのものである。バンドは、一端部および他端部とを有し、一端部と他端部とが交差するようにばね性の素材を円形に曲げた円形締め付け部と、一端部および他端部にそれぞれ接続され、かつ円形締め付け部から延出する第１および第２の延出部とを備えている。円形締め付け部は、第１および第２の延出部が互いに接近するように第１および第２の延出部に対して外力が作用することにより円形締め付け部の径が拡大し、かつ外力が除去されることにより円形締め付け部の径が縮小することでパイプに装着されたホースを締め付ける締め付け力が発生するように構成されている。バンドは、第１および第２の延出部が互いに接近するように第１および第２の延出部に対して外力が作用しても円形締め付け部の締め付け力が所定以上低減しないように構成されている。
【０００９】
本発明のバンドは、第１および第２の延出部が互いに接近するように第１および第２の延出部に対して外力が作用しても円形締め付け部の締め付け力が所定以上低減しないように構成されている。このため、第１および第２の延出部が互いに接近するように第１および第２の延出部に対して外力が作用しても円形締め付け部の締め付け力が所定以上低減しないようにすることができる。
【００１０】
上記のバンドにおいては、第１の延出部は、第１の操作部と、阻止部とを含んでいる。第２の延出部は、第２の操作部を含んでいる。第１の操作部は、一端部に接続され、円形締め付け部の外方へ伸びるように構成されている。第２の操作部は、他端部に接続され、円形締め付け部の外方へ伸びるように構成されている。阻止部は、第１および第２の操作部が互いに向かい合う領域内に位置する第１の状態と、領域外に位置する第２の状態とに変形可能に構成されており、第１の状態において、第１の操作部から第２の操作部に向かって延び、第２の操作部に当接することで第１および第２の操作部が接近することを阻止可能に構成されている。阻止部は、第２の状態において、第１および第２の操作部が接近可能に構成されている。
【００１１】
上記のバンドによれば、阻止部は、第１の状態において、第１の操作部から第２の操作部に向かって延び、かつ第２の操作部に当接することで第１および第２の延出部が接近することを阻止可能に構成されている。このため、第１の状態において、第１および第２の延出部が互いに接近するように第１および第２の延出部に対して外力が作用しても阻止部によって第１および第２の操作部が接近することを阻止することができる。これにより、円形締め付け部の締め付け力が所定以上低減しないようにすることができる。
【００１２】
上記のバンドにおいては、阻止部は、第１の操作部に一体的に設けられている。これにより、阻止部を第１の操作部と一体的に製造できるため、生産性を向上できる。
【００１３】
上記のバンドにおいては、第１の延出部は、第１の操作部と、第１の突出部とを含んでいる。第２の延出部は、第２の操作部と、第２の突出部とを含んでいる。第１の操作部は、一端部に接続され、円形締め付け部の外方へ伸びるように構成されている。第２の操作部は、他端部に接続され、円形締め付け部の外方へ伸びるように構成されている。第１の突出部は、第１の操作部から第２の操作部側に延び、かつ第２の操作部に対して第１の操作部側とは反対側に突出するように構成されている。第２の突出部は、第２の操作部から第１の操作部側に延び、かつ第１の操作部に対して第２の操作部側とは反対側に突出するように構成されている。
【００１４】
上記のバンドによれば、第１の突出部は、第１の操作部から第２の操作部側に延び、かつ第２の操作部に対して第１の操作部側とは反対側に突出するように構成されており、第２の突出部は、第２の操作部から第１の操作部側に延び、かつ第１の操作部に対して第２の操作部側とは反対側に突出するように構成されている。このため、第１および第２の延出部が互いに接近するように第１および第２の突出部に対して外力が作用すると円形締め付け部の締め付け力を増加することができる。これにより、円形締め付け部の締め付け力が所定以上低減しないようにすることができる。
【００１５】
上記のバンドにおいては、第１の突出部は、第１の操作部に一体的に設けられており、第２の突出部は、第２の操作部に一体的に設けられている。第１の突出部を第１の操作部と一体的に製造でき、第２の突出部を第２の操作部と一体的に製造できるため、生産性を向上できる。
【発明の効果】
【００１６】
以上説明したように、本発明によれば、バンドの締め付け力を所定以上低減しないようにすることができる。
【図面の簡単な説明】
【００１７】
【図１】本発明の実施の形態１におけるバンドの構成を概略的に示す平面図である。
【図２】本発明の実施の形態１におけるバンドの構成を概略的に示す斜視図である。
【図３】本発明の実施の形態１におけるバンドの第１の状態における構成を概略的に示す側面図である。
【図４】本発明の実施の形態１におけるバンドの第２の状態における構成を概略的に示す側面図である。
【図５】本発明の実施の形態１におけるバンドがホースに装着された状態を概略的に示す側面図である。
【図６】比較例におけるバンドの構成を概略的に示す斜視図である。
【図７】本発明の実施の形態２におけるバンドの構成を概略的に示す平面図である。
【図８】本発明の実施の形態２におけるバンドの構成を概略的に示す斜視図である。
【図９】本発明の実施の形態２におけるバンドの第１および第２の操作部に外力が作用する様子を概略的に示す側面図である。
【図１０】本発明の実施の形態２におけるバンドの第１および第２の突出部に外力が作用する様子を概略的に示す側面図である。
【図１１】本発明の実施の形態２におけるバンドがホースに装着された状態を概略的に示す側面図である。
【発明を実施するための形態】
【００１８】
以下、本発明の実施の形態について図に基づいて説明する。
（実施の形態１）
まず本発明の実施の形態１におけるバンドの構成について説明する。
【００１９】
図１および図５を参照して、本実施の形態のバンドは、たとえば、熱交換器１０のパイプ１１に装着されたホース１２を締め付けるためのものである。本実施の形態では、バンドは１本のばね性の素材が折り曲げられて形成されている。このばね性の素材は円柱形状を有している。
【００２０】
図１および図２を参照して、本実施の形態のバンドは、円形締め付け部１と、第１および第２の延出部２，３とを主に有している。円形締め付け部１は、内周側に挿入されたホースを締め付けるためのものである。円形締め付け部１は、一端部１ａおよび他端部１ｂと、一端部１ａおよび他端部１ｂに挟まれた中央部１ｃとを有している。円形締め付け部１は、一端部１ａと他端部１ｂとが交差するようにばね性の素材を円形に曲げて形成されている。円形締め付け部１は、一端部１ａと他端部１ｂとが重なる方向からみて略真円状に形成されている。また、一端部１ａと他端部１ｂとが交差する部分が交差部ＣＰを構成している。
【００２１】
第１および第２の延出部２，３は、円形締め付け部１の一端部１ａおよび他端部１ｂにそれぞれ接続されている。つまり、第１の延出部２は一端部１ａに接続されており、第２の延出部３は他端部１ｂに接続されている。第１および第２の延出部２，３は、円形締め付け部１から延出するように構成されている。第１および第２の延出部２，３はそれぞれ円形締め付け部１の外周側に延出している。
【００２２】
円形締め付け部１は、第１および第２の延出部２，３が互いに接近するように第１および第２の延出部２，３に対して外力が作用することにより円形締め付け部１の径が拡大するように構成されている。そして、円形締め付け部１は、該外力が除去されることにより円形締め付け部１の径が縮小することでパイプ１１に装着されたホース１２を締め付ける締め付け力が発生するように構成されている。
【００２３】
つまり、本実施の形態のバンドでは、円形締め付け部１は、第１および第２の延出部２，３に対して互いに接近する方向（圧縮方向）に外力が加えられることによって円形締めその径が大きくなり、該外力が取り除かれるとその径が小さくなるように構成されている。そして、円形締め付け部１は、その径が大きくなると締め付け力が低減し、その径が小さくなると締め付け力が増加するように構成されている。
【００２４】
本実施の形態のバンドは、第１および第２の延出部２，３が互いに接近するように第１および第２の延出部２，３に対して外力が作用しても円形締め付け部１の締め付け力が所定以上低減しないように構成されている。
【００２５】
具体的には、本実施の形態のバンドにおいては、第１および第２の延出部２，３が互いに接近するように第１および第２の延出部２，３に対して外力が作用しても円形締め付け部１の締め付け力が所定以上低減しないように阻止部ＰＰが設けられている。
【００２６】
本実施の形態のバンドでは、第１の延出部２は、第１の操作部２ａと、阻止部ＰＰとを含んでいる。第２の延出部３は、第２の操作部３ａを含んでいる。第１の操作部２ａは、一端部１ａに接続され、円形締め付け部１の外方へ伸びるように構成されている。第２の操作部３ａは、他端部１ｂに接続され、円形締め付け部１の外方へ伸びるように構成されている。
【００２７】
阻止部ＰＰは、第１の操作部２ａから第２の操作部３ａに向かって延びる延在部ＰＰａと、延在部ＰＰａに交差し第２の操作部３ａに沿って延びる当接部ＰＰｂと、当接部ＰＰｂに接続された先端部ＰＰｃとを有している。阻止部ＰＰは、第１の操作部２ａに一体的に設けられている。
【００２８】
図３および図４を参照して、阻止部ＰＰは、第１および第２の操作部２ａ，３ａが互いに向かい合う領域Ａ内に位置する第１の状態と、領域Ａ外に位置する第２の状態とに変形可能に構成されている。図３に示すように、阻止部ＰＰは、第１の状態において、第１の操作部２ａから第２の操作部３ａに向かって延び、かつ第２の操作部３ａに当接することで第１および第２の操作部２ａ，３ａが接近することを阻止可能に構成されている。具体的には、領域Ａ内において、延在部ＰＰａが第１の操作部２ａから第２の操作部３ａの近傍まで延びており、第２の操作部３ａの内側に当接部ＰＰｂが配置されている。第１および第２の延出部２，３が互いに接近するように第１および第２の延出部２，３に対して外力が作用したとき、当接部ＰＰｂが第２の操作部３ａに当接することにより、第１および第２の操作部２ａ，３ａは互いに接近することが阻止される。
【００２９】
図４に示すように、阻止部ＰＰは、第２の状態において、第１および第２の操作部２ａ，３ａが接近可能に構成されている。つまり、先端部ＰＰｃに図中矢印Ｙ方向に外力が加えられて、当接部ＰＰｂが領域Ａ外に移動した状態で、第１および第２の操作部２ａ，３ａに図中矢印Ｘ１およびＸ２方向（圧縮方向）から外力が加えられることにより、第１および第２の操作部２ａ、３ａは互いに接近することができる。
【００３０】
図５を参照して、本実施の形態のバンドの使用状態について説明する。熱交換器１０のパイプ１１がドレンを排出するためのホース１２に挿入された状態で、ホース１２がバンドの円形締め付け部１内に挿入されている。そして、ホース１２のパイプ１１が挿入された部分の外周面の一部がバンドによって締め付けられている。これにより、パイプ１１からホース１２が外れてパイプ１１からドレンが漏れることを防いでいる。
【００３１】
続いて、本実施の形態のバンドの装着方法について説明する。ホース１２にバンドを装着するためには、まず図４に示すように、バンドの阻止部ＰＰが領域Ａ外に位置するように変形される。具体的には、当接部ＰＰｂが領域Ａ外に移動するように延在部ＰＰａが変形される。この状態で、第１および第２の操作部２ａ，３ａに圧縮方向から外力が加えられることにより、第１および第２の操作部２ａ，３ａが互いに接近して、円形締め付け部１の径が大きくなる。円形締め付け部１の径が大きくなった状態で、円形締め付け部１内にホース１２が挿入される。そして、第１および第２の操作部２ａ，３ａに圧縮方向から加えられた外力が取り除かれることにより、円形締め付け部１の弾性力（ばねの力）によって円形締め付け部１はその径が小さくなるように変形する。これにより、バンドによってホース１２が締め付けられる。
【００３２】
その後、バンドの阻止部ＰＰが領域Ａ内に位置するように変形される。具体的には、当接部ＰＰｂが領域Ａ内に移動するように延在部ＰＰａが変形される。この状態では、第１および第２の操作部２ａ，３ａに圧縮方向から外力が加えられても、阻止部ＰＰによって第１および第２の操作部２ａ，３ａが互いに接近することが阻止される。以上のようにして、パイプ１１が挿入されたホース１２にバンドが装着される。
【００３３】
次に、本実施の形態のバンドの作用効果について比較例と対比して説明する。
図６を参照して、比較例のバンドは阻止部ＰＰを有していない点で本実施の形態のバンドと主に異なっている。比較例のバンドでは、ホースにバンドが装着された後に、筺体の蓋などが第１および第２の延出部２，３に接触することによって第１および第２の延出部２，３に対して圧縮方向に外力が作用すると、第１および第２の延出２，３が互いに接近するように変位する。これにより、円形締め付け部１の径が大きくなるため、バンドの締め付け力が低減する。この結果、パイプからホースが外れてパイプからドレンが漏れることがある。
【００３４】
本実施の形態のバンドは、第１および第２の延出部２，３が互いに接近するように第１および第２の延出部２，３に対して外力が作用しても円形締め付け部１の締め付け力が所定以上低減しないように構成されている。このため、第１および第２の延出部２，３が互いに接近するように第１および第２の延出部２，３に対して外力が作用しても円形締め付け部１の締め付け力が所定以上低減しないようにすることができる。これにより、パイプ１１からホース１２が外れてパイプ１１からドレンが漏れることを防止できる。
【００３５】
本実施の形態のバンドにおいては、阻止部ＰＰは、第１の状態において、第１の操作部２ａから第２の操作部３ａに向かって延び、かつ第２の操作部３ａに当接することで第１および第２の操作部２ａ，３ａが接近することを阻止可能に構成されている。このため、第１の状態において、第１および第２の延出部２，３が互いに接近するように第１および第２の延出部２，３に対して外力が作用しても阻止部ＰＰによって第１および第２の操作部２ａ，３ａが接近することを阻止することができる。これにより、円形締め付け部１の締め付け力が所定以上低減しないようにすることができる。
【００３６】
本実施の形態のバンドにおいては、阻止部ＰＰは、第１の操作部２ａに一体的に設けられている。これにより、阻止部ＰＰを第１の操作部２ａと一体的に製造できるため、生産性を向上できる。
【００３７】
（実施の形態２）
図７および図８を参照して、本発明の実施の形態２のおけるバンドの構成について説明する。
【００３８】
本実施の形態のバンドも、第１および第２の延出部２，３が互いに接近するように第１および第２の延出部２，３に対して外力が作用しても円形締め付け部１の締め付け力が所定以上低減しないように構成されている。
【００３９】
具体的には、本実施の形態のバンドにおいては、第１および第２の延出部２，３が互いに接近するように第１および第２の延出部２，３に対して外力が作用しても円形締め付け部１の締め付け力が所定以上低減しないように第１および第２の突出部Ｐ１，Ｐ２が設けられている。
【００４０】
本実施の形態のバンドでは、第１の延出部２は、第１の操作部２ａと、第１の突出部Ｐ１とを含んでいる。第２の延出部３は、第２の操作部３ａと、第２の突出部Ｐ２とを含んでいる。第１の操作部２ａは、一端部１ａに接続され、円形締め付け部１の外方へ伸びるように構成されている。第２の操作部３ａは、他端部１ｂに接続され、円形締め付け部１の外方へ伸びるように構成されている。
【００４１】
第１の突出部Ｐ１は、第１の操作部２ａから第２の操作部３ａ側に延び、かつ第２の操作部３ａに対して第１の操作部２ａ側とは反対側に突出するように構成されている。第２の突出部Ｐ２は、第２の操作部３ａから第１の操作部２ａ側に延び、かつ第１の操作部２ａに対して第２の操作部３ａ側とは反対側に突出するように構成されている。
【００４２】
第１および第２の突出部Ｐ１，Ｐ２は、円形締め付け部１の径方向において、円形締め付け部１を挟んで円形締め付け部１の両側に突出するように配置されている。つまり、第１および第２の突出部Ｐ１，Ｐ２は互いに反対側に突出するように形成されている。
【００４３】
具体的には、第１の突出部Ｐ１は、第１の操作部２ａから第２の操作部３ａ側に延びる第１の往き部Ｐ１ａと、第１の往き部Ｐ１ａに接続され第２の操作部３ａよりも外方に張り出す第１の張り出し部Ｐ１ｂと、第１の張り出し部Ｐ１ｂに接続され第１の往き部Ｐ１ａに沿うように第２の操作部３ａ側から第１の操作部２ａ側に延びる第１の戻り部Ｐ１ｃとを有している。第２の突出部Ｐ２は、第２の操作部３ａから第１の操作部２ａ側に延びる第２の往き部Ｐ２ａと、第２の往き部Ｐ２ａに接続され第１の操作部２ａよりも外方に張り出す第２の張り出し部Ｐ２ｂと、第２の張り出し部Ｐ２ｂに接続され第２の往き部Ｐ２ａに沿うように第１の操作部２ａ側から第２の操作部３ａ側に延びる第２の戻り部Ｐ２ｃとを有している。
【００４４】
第１および第２の往き部Ｐ１ａ，Ｐ２ａは互いに並行に形成されていてもよい。さらに第１および第２の戻り部Ｐ１ｃ，Ｐ２ｃも第１および第２の往き部Ｐ１ａ，Ｐ２ａと並行に形成されていてもよい。第１の突出部Ｐ１は、第１の操作部２ａに一体的に設けられており、第２の突出部Ｐ２は、第２の操作部３ａに一体的に設けられている。
【００４５】
図９を参照して、第１および第２の操作部２ａ，３ａに図中矢印Ｘ１およびＸ２方向（圧縮方向）から外力が加えられることにより、第１および第２の操作部２ａ，３ａは互いに接近することができる。
【００４６】
図１０を参照して、第１および第２の突出部Ｐ１，Ｐ２に図中矢印Ｘ１およびＸ２方向（圧縮方向）から外力が加えられることにより、第１および第２の突出部Ｐ１，Ｐ２は互いに接近することができる。一方、第１および第２の突出部Ｐ１，Ｐ２に図中矢印Ｘ１およびＸ２方向（圧縮方向）から外力が加えられることにより、第１および第２の操作部２ａ、３ａは互いに離れる。つまり、第１および第２の突出部Ｐ１，Ｐ２に圧縮方向から外力が加えられると、第１および第２の操作部２ａ，３ａは圧縮方向の逆方向に変位する。
【００４７】
なお、これ以外の本実施の形態の構成は、上述した実施の形態１の構成とほぼ同じであるため同一の要素については同一の符号を付し、その説明を繰り返さない。
【００４８】
図１１を参照して、本実施の形態のバンドの使用状態について説明する。上述した実施の形態１と同様に、熱交換器１０のパイプ１１がドレンを排出するためのホース１２に挿入された状態で、ホース１２がバンドの円形締め付け部１内に挿入されている。そして、ホース１２のパイプ１１が挿入された部分の外周面の一部がバンドによって締め付けられている。
【００４９】
続いて、本実施の形態のバンドの装着方法について説明する。ホース１２にバンドを装着するためには、まず図９に示すように、第１および第２の操作部２ａ，３ａに圧縮方向から外力が加えられることにより、第１および第２の操作部２ａ，３ａが互いに接近して、円形締め付け部１の径が大きくなる。円形締め付け部１の径が大きくなった状態で、円形締め付け部１内にホース１２が挿入される。そして、第１および第２の操作部２ａ，３ａに圧縮方向から加えられた外力が取り除かれることにより、円形締め付け部１の弾性力（ばねの力）によって円形締め付け部１はその径が小さくなるように変形する。これにより、バンドによってホース１２が締め付けられる。以上のようにして、パイプ１１が挿入されたホース１２にバンドが装着される。
【００５０】
その後、第１および第２の突出部Ｐ１，Ｐ２に図中矢印Ｘ１およびＸ２方向（圧縮方向）から外力が加えられると、第１および第２の操作部２ａ，３ａは圧縮方向の逆方向に変位する。これにより、円形締め付け部１の径が小さくなるように変形するため、円形締め付け部１の締め付け力は増加する。したがって、円形締め付け部１の締め付け力の低減が阻止される。
【００５１】
次に、本実施の形態のバンドの作用効果について説明する。
本実施の形態のバンドによれば、第１の突出部Ｐ１は、第１の操作部２ａから第２の操作部３ａ側に延び、かつ第２の操作部３ａに対して第１の操作部２ａ側とは反対側に突出するように構成されており、第２の突出部Ｐ２は、第２の操作部３ａから第１の操作部２ａ側に延び、かつ第１の操作部２ａに対して第２の操作部３ａ側とは反対側に突出するように構成されている。このため、第１および第２の延出部２，３が互いに接近するように第１および第２の突出部Ｐ１，Ｐ２に対して外力が作用すると円形締め付け部１の締め付け力を増加することができる。これにより、円形締め付け部１の締め付け力が所定以上低減しないようにすることができる。
【００５２】
また、第１および第２の突出部Ｐ１，Ｐ２は互いに反対側に突出するように形成されているため、第１および第２の突出部Ｐ１，Ｐ２に両側から圧縮方向に外力が作用しても円形締め付け部１のバンドの締め付け力が所定以上低減しないようにすることができる。
【００５３】
本実施の形態のバンドにおいては、第１の突出部Ｐ１は、第１の操作部２ａに一体的に設けられており、第２の突出部Ｐ２は、第２の操作部３ａに一体的に設けられている。第１の突出部Ｐ１を第１の操作部２ａと一体的に製造でき、第２の突出部Ｐ２を第２の操作部３ａと一体的に製造できるため、生産性を向上できる。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５５】
１  円形締め付け部、１ａ  一端部、１ｂ  他端部、１ｃ  中央部、２  第１の延出部、３  第２の延出部、２ａ  第１の操作部、３ａ  第２の操作部、１０  熱交換器、１１  パイプ、１２  ホース、Ａ  領域、ＣＰ  交差部、Ｐ１  第１の突出部、Ｐ２  第２の突出部、ＰＰ  阻止部。
【図１】
2015102192.tif 000003
【図２】
2015102192.tif 000004
【図３】
2015102192.tif 000005
【図４】
2015102192.tif 000006
【図５】
2015102192.tif 000007
【図６】
2015102192.tif 000008
【図７】
2015102192.tif 000009
【図８】
2015102192.tif 000010
【図９】
2015102192.tif 000011
【図１０】
2015102192.tif 000012
【図１１】
2015102192.tif 000013